(57)【特許請求の範囲】
【請求項１】
上部にフランジ及び空気調和機本体を係合する突起を有し、下部に前記空気調和機本体固定時に前記空気調和機本体をガイドするガイド片を有し、据付時におもりの付いた下げ振り糸を用いて水平基準出しを行う空気調和機の据付板において、
前記ガイド片を含む前記据付板の一部を切り欠いて配管取出口を形成し、前記据付時に前記配管取出口の上方から垂直に垂らされる前記下げ振り糸の垂直合わせ目印用マークまたはラインを前記配管取出口の上方に表示したことを特徴とする空気調和装置の据付板。
【請求項２】
左右に前記配管取出口がそれぞれ設けられ、前記固定部及び前記垂直合わせ目印用マークまたはラインをそれぞれの前記配管取出口の上方に設けたことを特徴とする請求項１に記載する空気調和機の据付板。
【請求項３】
前記固定部及び前記垂直合わせ目印用マークまたはラインを前記空気調和機本体背後からの前記配管取出口中心上に設けたことを特徴とする請求項１または２に記載の空気調和機の据付板。
【請求項４】
前記空気調和機本体背後からの前記配管取出口中心水平方向に水平位置合わせ目印用マークまたはラインを表示したことを特徴とする請求項３記載の空気調和機の据付板。
【請求項５】
前記下げ振り糸の振れ許容範囲を示す目印用マークを表示したことを特徴とする請求項１乃至４の何れか記載の空気調和機の据付板。
【発明の詳細な説明】
【０００１】
【発明の属する技術分野】
本発明は空気調和機の室内ユニット据付板に関するもので、特に据付性の改善に関するものである。
【０００２】
【従来の技術】
従来この種の空気調和機の据付板として、特開平２−２１１３４号公報に掲載された技術がある。図７は上記公報に掲載された据付板の斜視図である。図７において、据付板１に壁面固定用穴２及び上部フランジ３を設ける。フランジ３左右にはさらに室内ユニット係合用突起４を設け、中央にはおもり６が付いた下げ振り糸５を取り付ける突起７を設けると共に切り欠き８を形成している。据付板１の中心部にビーム９の一端を回動自在に固定する。ビーム９の他端にはアーム１０の一端を回動可能に固定している。また、据付板１の下部フランジ３０には突起３０ａを設けると共にアーム１０の他端には突起３０ａと係合する係合部１０ａを設ける。
【０００３】
突起３０ａは係合部１０ａを係合した時、ビーム９が据付板１と垂直になるような位置に設けられ、この状態で下げ振り糸５とビーム９の目印９ａを合致させれば簡単に据付板１を水平に取り付けることが出来る。
【０００４】
【発明が解決しようとする課題】
このように従来の空気調和機の水平基準合わせは据付板以外にビームやアームが付属されておりコストが掛かるものであった。また、ビームやアームは据付後不要な部品であった。
【０００５】
この発明は上記のような問題点を解消するためになされたもので、簡単な構成で水平基準出しを容易に行うことを目的とする。
【０００６】
【課題を解決するための手段】
この発明に係る空気調和機の据付板は、上部にフランジ及び空気調和機本体を係合する突起を有し、下部に前記空気調和機本体固定時に前記空気調和機本体をガイドするガイド片を有し、据付時におもりの付いた下げ振り糸を用いて水平基準出しを行う空気調和機の据付板において、前記ガイド片を含む前記据付板の一部を切り欠いて配管取出口を形成し、前記据付時に前記配管取出口の上方から垂直に垂らされる前記下げ振り糸の垂直合わせ目印用マークまたはラインを前記配管取出口の上方に表示したものである。
【０００７】
補正により削除。
【０００８】
また、左右に前記配管取出口がそれぞれ設けられ、前記固定部及び前記垂直合わせ目印用マークまたはラインをそれぞれの前記配管取出口の上方に設けたものである。
【０００９】
また、固定部及び垂直合わせ目印用マークまたはラインを空気調和機本体背後からの配管取出口中心上に設けたものである。
【００１０】
補正により削除。
【００１１】
また、空気調和機本体背後からの配管取出口中心水平方向に水平位置合わせ目印用マークまたはラインを表示したものである。
【００１２】
また、下げ振り糸の振れ許容範囲を示す目印用マークを表示したものである。
【００１３】
【発明の実施の形態】
実施の形態１．
以下、本発明の実施の形態を図に基づいて説明する。図１はこの実施の形態における空気調和機の据付板を示す斜視図、図２は図１の据付板の要部拡大図、図３は図１の据付板の側面図である。また、図４は図１〜３の据付板に取り付けられる空気調和機本体（より詳細には室内機および室外機から構成されるセパレート型空気調和機の室内機本体）を示す背面斜視図、図５は同据付板に取り付けられ、右方に配管引き出しされた空気調和機本体を示す正面斜視図、図６は同据付板に取り付けられ、右下方に配管引き出しされた空気調和機本体を示す正面斜視図である。
【００１４】
図１〜３において、１は空気調和機本体を室内の壁に取り付ける際使用する据付板である。この据付板１の下部左右は空気調和機本体背面から冷媒配管およびドレン排水管等の配管類を後方へ引き出せるよう切り欠かれた形状をしており、従って左右について上辺より下辺が短くなっている。図４〜６において、２０は背面が据付板１に取り付けられることで室内の壁面に固定される空気調和機本体、２１は熱交換器や送風機、ドレンパンなどの内部機器を収納する本体筐体、２２は空気調和機本体２０前面部を形成するパネル、２３は本体筐体２１の底面および側面によるコーナー部を形成するＬ字状カバー、２４はＬ字状カバー２３の底面および側面にそれぞれ設けられた打ち抜き可能な切り欠き板である。
【００１５】
２５は空気調和機本体２０の背面からみて左下部から延びる配管類で、熱交換器下方に設けられドレンパンに溜まったドレンを室外へ排出するドレン排水管２５ａ、熱交換器に室外機からの冷媒を供給する冷媒供給配管２５ｂおよび熱交換器からの冷媒を室外機へ排出する冷媒排出配管２５ｃとから成る。２６は室内壁面に形成された壁穴で、空気調和機本体２０の種類に応じて規定された所定の口径を有する。
【００１６】
据付板１の切り欠き部に壁穴２６を位置させることで、本体後方の左右いずれからでも配管類２５を引き出すことができる。図４は背面からみて本体後方左より配管類２５を引き出した状態である。配管類２５はテープ２５ｄによってテーピングされ、一つに束ねられている。また、Ｌ字状カバー２３は空気調和機本体２０の左右何れにも設けられており、それぞれの底面または側面の打ち抜き板２４を打ち抜くことで、本体左右、右下、左下の何れの方向にも配管類２５を引き出すことができる。図５は正面からみて本体右方より配管類２５を引き出した状態である。図６は正面からみて本体右下方より配管類２５を引き出した状態である。
【００１７】
図１〜３に戻り、２は据付板１を壁面にネジ留め固定するための固定用穴、３は据付板１上部（上辺）から前方へ折り曲げ形成されたフランジ部、４はフランジ部左右にそれぞれ立設され、空気調和機本体２０の背面上部を係合する係合用突起である。１１は据付板１下部中央（下辺）から前方へ折り曲げ形成されたガイド片で、空気調和機本体２０の背面下部を据付板１の下部にガイドする。１３はガイド片１１と垂直方向において重複しないフランジ部３左右にそれぞれ穿設され、おもり６が付けられた下げ振り糸５をネジ１２にて固定するためのネジ１２挿入用の穴で、従って、この穴１３はガイド片１１に対し左右方向に外れた位置に設けられている。
【００１８】
また、１４、１５は穴１３垂直下方に位置し据付板１上に表示された下げ振り糸５の垂直合わせ目印用のマーク及びラインで、マーク１４は略逆三角形状で、下げ振り糸５に合わせ易いよう穴１３垂直方向において据付板１の下部に表示されている。マーク１４は略逆三角形状でなくても下げ振り糸５に合わせ易い形状であれば良い。また、マーク１４は複数設けた方がより合わせ易く作業効率も良い。ライン１５は下げ振り糸５と合わせるため可能な限り下げ振り糸５と沿うよう長く表示してある。本実施の形態ではマーク１４及びライン１５を金属製の据付板１に刻印しているが、刻印でなくても打ち抜き穴または着色でもよく、同様な効果を得ることが出来る。
【００１９】
フランジ部３とガイド片１１との長短相違分確保される据付板１下部左右の切り欠きは、空気調和機本体２０の種類によって必要とされる冷媒配管およびドレン配水管等の配管類２５を通すための壁穴２６径以上の上下左右幅を有し、穴１３は切り欠きのガイド片１１側から壁穴２６の半径以上水平方向に離れている。即ち、この切り欠きは壁穴２６が収まるような大きさに切り欠かれている。尚、空気調和機本体２０は背面左側（背面からみて）にフレキシブルな冷媒配管２５ｂ、ｃおよびドレン排水管２５ａが設けられており、ここから、直接後方へ引き出すことができるが、空気調和機本体２０下部の空間を利用して背面右側から直接後方へ引き出すことも可能である。これに合わせて据付板１も左右に切り欠き部を形成したものである。
【００２０】
このように構成された据付板１は、空気調和機の取り付け工事において、図２の要部拡大図に示すように壁面固定用ネジ１２におもり６を固定した下げ振り糸５を固定しフランジ３上の穴１３に挿入することで下げ振り糸５が固定される。取り付け者は据付板１に設けられた垂直合わせ目印用マーク１４及びライン１５を下げ振り糸５に合わせながら位置出しを行ない固定することが可能となる。
【００２１】
図３は図１の側面図を示し、点線は垂直方向においてガイド片１１と重複するフランジ３に下げ振り糸５を取り付けた場合を示す。本実施の形態では穴１３が垂直方向においてガイド片１１と外れたフランジ３に設けられているため、図３に実線で示すようにガイド片１１に下げ振り糸５が干渉することもなくスムーズに垂直合わせが可能となり、また、下げ振り糸５が目印用マーク１４及びライン１５と離れることもなく正確に位置だしが可能となる。穴１３はネジ１２を挿入可能な大きさに設けられており、下げ振り糸５固定時もネジ１２にからめる程度でも下げ振り糸５を固定することが可能となる。
【００２２】
本実施の形態では、下げ振り糸５とガイド片１１とが干渉しないため、下げ振り糸５の長さを据付板１の縦寸法より長くしても何ら影響がない。このため下げ振り糸５を充分長くすることにより、下げ振り糸５が大きく揺れたりするのを防止でき、位置出しの作業性が向上する。また、下げ振り糸５の長さを自由に設定できるから、例えば空気調和機本体２０背面から後方へ直接冷媒配管およびドレン排水管などの配管類２５を引き出す場合には、壁穴２６の中心位置を穴１３からＬ１cm下方とサービスハンドブック等に記載しておくことで、下げ振り糸５をＬ１cmにすれば簡単に据付板１と壁穴２６との位置関係を特定できる。また、空気調和機本体２０底面から下方へ冷媒配管およびドレン排水管などの配管類２５を引き出す場合には、壁穴２６の中心位置を穴１３からＬ２cm（Ｌ２＞Ｌ１）となるように下げ振り糸５をＬ２cmにすればやはり簡単に据付板１と壁穴２６との位置関係を特定できる。尚、壁穴２６が先に空いている場合には壁穴２６の中心は特定しにくいので、予め空気調和機の機種毎に規定された壁穴半径Ｒcm分を下げ振り糸５長さに足しても良い（Ｌ１＋Ｒ、Ｌ２＋Ｒなど）。
【００２３】
また、図１に示すように本実施の形態の据付板１には切り欠き部に壁穴２６を位置させる場合の壁穴中心高さ位置を示すマーク１７が表示されている。従って、下げ振り糸５は必ずしも壁穴位置を特定するための長さにする必要はなく、適当な長さにすることができる。特に上述したように下げ振り糸５の長さが長い方が揺れが小さいので、下げ振り糸５を長く設定できる。そして、穴１３からの垂直方向とマーク１７からの水平方向とが交叉するところから壁穴の中心を求めることができる。さらに、空気調和機本体２０側面から冷媒配管およびドレン排水管などの配管類２５を引き出す場合には、マーク１７と側方にある壁穴２６の中心とを水平位置合わせし、これを維持しながら下げ振り糸５で据付板の位置出しを行なえば、空気調和機本体２０を壁穴２６に対し適宜な相対位置に設置することができる。
【００２４】
実施の形態２．
実施の形態１において、図１、２では据付板１左側に穴１３、マーク１４、ライン１５が示されているが、据付板１の左右両側に同様な構成を対称に設け、左右にて基準合わせを行った方がより位置出し精度の良い据付が可能となる。また、空調室のコーナーなど空気調和機の据付場所の条件によっては片側が使用できない、または目印用マーク１４及びライン１５が見にくいなどということも考えられるので、左右に設けることによりどちらかが使用可能となるメリットは大きい。
【００２５】
実施の形態３．
図２に示す据付板の要部拡大図において、１６は穴１３とマーク１４またはライン１５との間に略Ｈ形状に表示されたゲージで、略Ｈ形はラインの両側に同幅に跨っており、略Ｈ形の幅は下げ振り糸５の左右に均等になるよう表示されている。ゲージ１６は下げ振り糸５の振れの許容範囲を示す表示であり、略Ｈ形の幅内であれば許容できるものである。ゲージ１６は据付板１の傾きに対し本体の傾きの許容範囲を示しており、この許容範囲値は空気調和機本体２０内のドレンパンよりドレン水がオーバーフローしない値に定められている。
【００２６】
ゲージ１６が設けられていることによりスピーディーかつ精度の良い据付を行うことが可能となる。また、ゲージ１６に目盛りを付加することにより、より傾きの目安効果が向上する。また、ゲージ１６の表示方法は本実施の形態のような刻印の他、打ち抜き穴、着色でも同様な効果を奉する。
【００２７】
【発明の効果】
以上のように、この発明によれば、上部にフランジ及び空気調和機本体を係合する突起を有し、下部に前記空気調和機本体固定時に前記空気調和機本体をガイドするガイド片を有し、据付時におもりの付いた下げ振り糸を用いて水平基準出しを行う空気調和機の据付板において、前記ガイド片を含む前記据付板の一部を切り欠いて配管取出口を形成し、前記据付時に前記配管取出口の上方から垂直に垂らされる前記下げ振り糸の垂直合わせ目印用マークまたはラインを前記配管取出口の上方に表示したので、水平基準出しが容易に精度良く出来る。
【００２８】
補正により削除。
【００２９】
また、左右に前記配管取出口がそれぞれ設けられ、前記固定部及び前記垂直合わせ目印用マークまたはラインをそれぞれの前記配管取出口の上方に設けたので、据付自由度が向上する。
【００３０】
また、固定部及び垂直合わせ目印用マークまたはラインを空気調和機本体背後からの配管取出口中心上に設けたので、空気調和機本体から後方へ配管類を引き出す時の壁穴との位置合わせが容易に行なえる。
【００３１】
補正により削除。
【００３２】
また、空気調和機本体背後からの配管取出口中心水平方向に水平位置合わせ目印用マークまたはラインを表示したので、据付板の水平出しと壁穴との水平、垂直相対位置決めとを容易に行なうことができる。
【００３３】
また、下げ振り糸の振れ許容範囲を示す目印用マークを表示したので、据付板取付時に傾き許容範囲を容易に知ることができる。
【図面の簡単な説明】
【図１】  本発明の実施の形態における据付板を示す斜視図。
【図２】  本発明の実施の形態における据付板の要部拡大図。
【図３】  本発明の実施の形態における据付板の側面図。
【図４】  本発明の実施の形態における空気調和機本体の背面斜視図。
【図５】  本発明の実施の形態における空気調和機本体の正面斜視図。
【図６】  本発明の実施の形態における空気調和機本体の正面斜視図。
【図７】  従来の据付板を示す斜視図。
【符号の説明】
１  据付板、  ２  固定用穴、  ３  フランジ、  ４  係合用突起、  ５  下げ振り糸、  ６  おもり、  ８  切り欠き、  １１  ガイド片、  １２  ネジ、  １３  穴、  １４、１７  マーク、  １５  ライン、  １６  ゲージ。
【図１】
0004604404.tif 000002
【図２】
0004604404.tif 000003
【図３】
0004604404.tif 000004
【図４】
0004604404.tif 000005
【図５】
0004604404.tif 000006
【図６】
0004604404.tif 000007
【図７】
0004604404.tif 000008